(57)【要約】【課題】本発明は、キースイッチ部のスイッチが設けられた第１面とは異なる面に対して外力がはたらいてもキースイッチ部を保護できる携帯電子機器を提供すること。【解決手段】板状のキースイッチ部５０と、一方側の面が筐体２の外部に露出される第１状態と第２状態とに変化可能に構成される１又は複数のキートップ１３ｂ、１４ｂ、１５ｂと、キースイッチ部５０における第１面５０ａ側に配置されると共に、１又は複数のキートップ１３ｂ、１４ｂ、１５ｂとキースイッチ部５０との間に配置されるシート状の弾性部材４０Ｃと、を備え、弾性部材４０Ｃは、１又は複数のキートップ１３ｂ、１４ｂ、１５ｂに対応する部分を含む本体部４１ａと、本体部４１ａの外縁から延設すると共に、一部が折り曲がるように変形されキースイッチ部５０における第１面５０ａとは異なる面に対向する部分を有する延設部４１ｂと、を備える。【選択図】図５
2010258835.tif 000002
【特許請求の範囲】
【請求項１】
開口部が形成された筐体と、
前記筐体の内部に配設され、前記開口部側の第１面を有すると共に、前記第１面に前記開口部に対向して配置される１又は複数のスイッチを有する板状のキースイッチ部と、
前記筐体の内部において前記キースイッチ部における前記第１面側に配設されると共に、前記開口部を介して一方側の面が前記筐体の外部に露出される第１状態と前記一方側の面に対する押圧操作に応じて第１状態に比して前記筐体の内部側に挿入されて前記キースイッチ部を押下する第２状態とに変化可能に構成される１又は複数のキートップと、
前記キースイッチ部における前記第１面側に配置されると共に、前記１又は複数のキートップと前記キースイッチ部との間に配置されるシート状の弾性部材と、を備え、
前記弾性部材は、前記１又は複数のキートップに対応する部分を含む本体部と、前記本体部の外縁から延設すると共に、一部が折り曲がるように変形され前記キースイッチ部における前記第１面とは異なる面に対向する部分を有する延設部と、を備えることを特徴とする携帯電子機器。
【請求項２】
前記延設部には、電子部品を収納する収納部が形成されていることを特徴とする請求項１に記載の携帯電子機器。
【請求項３】
前記キースイッチ部における前記第１面と反対側の第２面側に配置され前記キースイッチ部を支持する平板部を有する支持部材を更に備え、
前記延設部は、一部が折り曲がるように変形され前記平板部における前記キースイッチ部側の面とは異なる面に対向する部分を有することを特徴とする請求項１に記載の携帯電子機器。
【請求項４】
前記筐体の内部において前記支持部材の近傍に配設されるアンテナを更に備え、
前記支持部材は、導電性を有し、
前記延設部は、非導電性を有すると共に、少なくとも一部が前記支持部材と前記アンテナとの間に配置されることを特徴とする請求項３に記載の携帯電子機器。
【発明の詳細な説明】
【技術分野】
【０００１】
本発明は、携帯電話機等の携帯電子機器に関する。
【背景技術】
【０００２】
従来、開口部が形成された筐体と、第１面が開口部に対向して筐体の内部に配設されるキースイッチ部と、開口部を介して一方側の面が筐体の外部に露出し且つ筐体の内部側に挿入されてキースイッチ部を押下するキートップと、キートップとキースイッチ部との間に配置されるキーシートと、を備える携帯電子機器が知られている（例えば、特許文献１参照）。
【先行技術文献】
【特許文献】
【０００３】
【特許文献１】特開２００６−１４７２９２号公報
【発明の概要】
【発明が解決しようとする課題】
【０００４】
しかしながら、特許文献１の携帯電子機器では、落下等の衝撃による外力が加えられた場合に、この外力が筐体の内部に配設されたキースイッチ部の第１面とは異なる面に伝わり、キースイッチ部が破損するおそれがあった。
【０００５】
本発明は、上記のような課題に鑑みてなされたもので、キースイッチ部のスイッチが設けられた第１面とは異なる面に対して外力がはたらいてもキースイッチ部を保護できる携帯電子機器を提供することを目的とする。
【課題を解決するための手段】
【０００６】
本発明は、開口部が形成された筐体と、前記筐体の内部に配設され、前記開口部側の第１面を有すると共に、前記第１面に前記開口部に対向して配置される１又は複数のスイッチを有する板状のキースイッチ部と、前記筐体の内部において前記キースイッチ部における前記第１面側に配設されると共に、前記開口部を介して一方側の面が前記筐体の外部に露出される第１状態と前記一方側の面に対する押圧操作に応じて第１状態に比して前記筐体の内部側に挿入されて前記キースイッチ部を押下する第２状態とに変化可能に構成される１又は複数のキートップと、前記キースイッチ部における前記第１面側に配置されると共に、前記１又は複数のキートップと前記キースイッチ部との間に配置されるシート状の弾性部材と、を備え、前記弾性部材は、前記１又は複数のキートップに対応する部分を含む本体部と、前記本体部の外縁から延設すると共に、一部が折り曲がるように変形され前記キースイッチ部における前記第１面とは異なる面に対向する部分を有する延設部と、を備えることを特徴とする携帯電子機器に関する。
【０００７】
また、前記延設部には、電子部品を収納する収納部が形成されていることが好ましい。
【０００８】
また、前記キースイッチ部における前記第１面と反対側の第２面側に配置され前記キースイッチ部を支持する平板部を有する支持部材を更に備え、前記延設部は、一部が折り曲がるように変形され前記平板部における前記キースイッチ部側の面とは異なる面に対向する部分を有することが好ましい。
【０００９】
また、前記筐体の内部において前記支持部材の近傍に配設されるアンテナを更に備え、前記支持部材は、導電性を有し、前記延設部は、非導電性を有すると共に、少なくとも一部が前記支持部材と前記アンテナとの間に配置されることが好ましい。
【発明の効果】
【００１０】
本発明によれば、キースイッチ部のスイッチが設けられた第１面とは異なる面に対して外力がはたらいてもキースイッチ部を保護できる携帯電子機器を提供することができる。
【図面の簡単な説明】
【００１１】
【図１】本発明の第１実施形態の携帯電話機１を開状態で示す斜視図である。
【図２】本発明の第１実施形態の携帯電話機１を閉状態で示す斜視図である。
【図３】第１実施形態における操作部側筐体２の分解斜視図である。
【図４】第１実施形態における延設部４１ｂを折り曲げた状態を示す斜視図である。
【図５】第１実施形態における延設部４１ｂを折り曲げた状態を示す断面図である。
【図６】第１実施形態における延設部４１ｂにマイク９１を収納した状態を示す部分斜視図である。
【図７】第１実施形態におけるキーシート４０Ｃを示す図であって、（Ａ）は、操作部材４０Ａ側から視た平面図であり、（Ｂ）は、キー基板５０から視た平面図であり、（Ｃ）は、（Ａ）におけるＡ−Ａ線断面図である。
【図８】第１実施形態における延設部４１ｂを折り曲げる前の状態を示す部分斜視図である。
【図９】第２実施形態における操作部側筐体２に内蔵される部品を示す分解斜視図である。
【図１０】第２実施形態における延設部４１ｂを折り曲げた状態を示す断面図である。
【発明を実施するための形態】
【００１２】
以下、本発明の実施形態について、図面を参照しながら説明する。まず、本発明の携帯電子機器の第１実施形態である携帯電話機１の基本構造について、図１及び図２を参照しながら説明する。
図１は、本発明の第１実施形態の携帯電話機１を開状態で示す斜視図である。図２は、本発明の第１実施形態の携帯電話機１を閉状態で示す斜視図である。
【００１３】
図１及び図２に示すように、本実施形態の携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。
本実施形態においては、操作部側筐体２の長手方向及び厚さ方向に直交する方向を操作部側筐体２の幅方向という。
【００１４】
操作部側筐体２の上端部と表示部側筐体３の下端部とは、連結部４を介して開閉可能に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図２参照）に変形される。
【００１５】
まず、操作部側筐体２について説明する。操作部側筐体２は、外郭を形成するフロントケース２１及びリアケース２２を備える。フロントケース２１は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００１６】
フロントケース２１は、操作キー群１１が前面２ａに露出するように構成される。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００１７】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーがユーザにより押圧されることで、各キーに割り当てられている機能に応じた動作が実行される。
【００１８】
操作部側筐体２の前面２ａには、ユーザが通話時に発した音声を後述するマイク９１（図３参照）へ入力するための音声入力孔部１２が形成される。音声入力孔部１２は、操作部側筐体２の長手方向における連結部４とは反対側の端部（下端部）の近傍に配置される。
【００１９】
操作部側筐体２の側面には、例えば、外部機器（例えば、ホスト装置）とデータの送受信を行うためのインターフェースや、ヘッドホン／マイク端子、着脱可能な外部メモリのインターフェースや、バッテリを充電するための充電端子などが設けられる。操作部側筐体２の内部構造については後述する。
【００２０】
次に、表示部側筐体３について説明する。図１及び図２に示すように、表示部側筐体３は、外郭を形成するフロントケース３０ａ、カバー部材３３及びリアケース３０ｂを備える。フロントケース３０ａ及びカバー部材３３は、表示部側筐体３の前面３ａ側を構成する。表示部側筐体３の前面３ａは、携帯電話機１が折り畳まれた状態で操作部側筐体２と向かい合う面である。リアケース３０ｂは、表示部側筐体３における前面３ａと反対側の面である背面３ｂ側を構成する。
【００２１】
表示部側筐体３の内部には、各種情報を表示させるメイン液晶モジュール３４が配置されている。メイン液晶モジュール３４の一方の面には、メイン表示部３４ａが設けられる。メイン表示部３４ａは、全部又は一部が透明なカバー部材３３を介して、表示部側筐体３の前面３ａ側から視認可能となっている。
【００２２】
また、フロントケース３０ａには、通話の相手側における音声を出力する音声出力部３１が配置される。音声出力部３１は、表示部側筐体３の長手方向における連結部４とは反対の端部側に配置される。
【００２３】
表示部側筐体３のリアケース３０ｂ側には、各種情報を表示させるサブ液晶モジュール３６が配置される。サブ液晶モジュール３６における一方の面には、サブ表示部３６ａが設けられる。サブ表示部３６ａは、リアケース３０ｂの透明部分を介して、表示部側筐体３の背面３ｂ側から視認可能となっている。
【００２４】
メイン液晶モジュール３４及びサブ液晶モジュール３６それぞれは、液晶パネルと、液晶パネルを駆動する駆動回路と、液晶パネルの背面側から光を照射するバックライトとを有する。
【００２５】
続けて、図３を参照しながら、第１実施形態における操作部側筐体２の内部構造について説明する。図３は、操作部側筐体２の分解斜視図である。
図３に示すように、操作部側筐体２は、フロントケース２１と、キー構造部４０と、キースイッチ部としてのキー基板５０と、支持部材としてのシールドケース６０と、電子部品としてのマイク９１を備えるフレキシブル配線基板９２と、基準電位パターン層７５及び携帯電話機用のＲＦ（Ｒａｄｉｏ  Ｆｒｅｑｕｅｎｃｙ）モジュール等の各種電子部品（図示せず）を備える回路基板７０と、アンテナ８０と、バッテリリッド２３を備えたリアケース２２と、バッテリ９０とを備える。
【００２６】
フロントケース２１とリアケース２２とは、互いの凹状の内側面が向き合うように配置され、互いの外周縁が重なり合うようにして結合される。また、フロントケース２１とリアケース２２との間には、キー構造部４０と、キー基板５０と、シールドケース６０と、フレキシブル配線基板９２と、回路基板７０と、アンテナ８０と、が挟まれるようにして内蔵される。
【００２７】
フロントケース２１には、携帯電話機１を折り畳んだ状態で表示部側筐体３のメイン表示部３４ａと対向する内側面に、開口部としてのキー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２８】
キー構造部４０は、操作部材４０Ａと、キーフレーム４０Ｂと、弾性部材としてのキーシート４０Ｃと、により構成される。
【００２９】
操作部材４０Ａは、複数のキートップとしての複数の操作キー部材により構成される。具体的には、操作部材４０Ａは、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００３０】
操作部材４０Ａは、第１状態と第２状態との間を変化可能に構成される。第１の状態は、キー孔１３ａを介して操作部材４０Ａの外面が操作部側筐体２の外部に露出される状態であり、操作部材４０Ａが操作部側筐体２の内部側に押下されていない状態である。第２の状態は、操作部材４０Ａの外面への押圧操作に応じて、第１状態に比して操作部材４０Ａが操作部側筐体２の内部側に挿入されてキー基板５０を押下する状態である。
【００３１】
キーフレーム４０Ｂは、孔部１４ｃが複数形成された金属製の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３２】
キーシート４０Ｃは、後述するキー基板５０における第１面５０ａ側に配置されると共に、操作部材４０Ａとキー基板５０との間に配置される。キーシート４０Ｃは、可撓性及び弾性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。キーシート４０Ｃの詳細については後に詳述する。
【００３３】
キー基板５０は、複数の絶縁層（絶縁フィルム）の間に配線を挟み込んで形成される板状のフレキシブル基板である。キー基板５０は、シールドケース６０における後述する平板部６１に載置されて支持される。キー基板５０は、機能設定操作キー１３、入力操作キー１４及び決定操作キー１５にそれぞれ対応してキー構造部４０側に形成される複数のキースイッチ５１、５２、５３を備える。キースイッチ５１、５２、５３は、金属板より椀状に湾曲して立体的に形成されたメタルドームを有する。メタルドームは、その椀状形状の頂点が押圧されると、キー基板５０の表面に印刷された電気回路（図示せず）に形成されるスイッチ端子に接触して、電気的に導通するように構成される。
【００３４】
キー基板５０は、フロントケース２１のキー孔１３ａ、１４ａ、１５ａ側に形成される第１面５０ａと、第１面５０ａと反対側に形成される第２面５０ｂと、第１面５０ａ及び第２面５０ｂに直交する方向に、第１面５０ａと第２面５０ｂとをつなぐように形成される側面としての第３面５０ｃとを有している。
【００３５】
シールドケース６０は、導電性の部材であり、直方体における一の広い面及び一の狭い面が開口した形状を有する。具体的には、シールドケース６０は、回路基板７０側が広い面で開口しており、操作部側筐体２の長手方向における連結部４側とは反対側が狭い面で開口している。シールドケース６０は、キー基板５０の載置面となると共にキー基板５０を支持する平板状の平板部６１と、平板部６１における一の広い開口側の面に略垂直に形成されるリブ部６２と、を備える。
【００３６】
平板部６１は、略均等の厚さで平面視略長方形状に形成される。平板部６１は、キー基板５０側の載置面６１ａと、載置面６１ａとは反対側の内面６１ｂと、載置面６１ａと内面６１ｂとを平板部６１における外縁においてつなぐ平板側面６１ｃとを有する。載置面６１ａには、キー基板５０が載置される。内面６１ｂは、回路基板７０の一方の面７０ａと対向する面である。平板側面６１ｃは、操作部側筐体２の長手方向及び幅方向において平板部６１から外側方向に向けて露出されている。
【００３７】
リブ部６２は、平板部６１の内面６１ｂの外縁に形成される。リブ部６２は、操作部側筐体２における連結部４とは反対側の外縁には設けられていない。つまり、リブ部６２は、操作部側筐体２における連結部４とは反対側の外縁以外の平板部６１の外縁に形成される。
【００３８】
リブ部６２は、回路基板７０に実装される各種電子部品のうち最も高い電子部品の高さと同等又はそれよりも十分に高くなるように形成される。リブ部６２は、平板部６１の周縁及び内側に、回路基板７０における基準電位部を構成する基準電位パターン層７５に対応するように形成される。具体的には、リブ部６２は、シールドケース６０が回路基板７０に載置された状態で、基準電位パターン層７５上に配置されるように形成される。
【００３９】
平板部６１は、平板部６１におけるリブ部６２が形成されない外縁において、外縁から平板部６１側に窪むように形成される切り欠き部６１ｄを有する。切り欠き部６１ｄは、平板部６１の外縁から円弧状に窪むように切り欠かれている。切り欠き部６１ｄには、マイク９１が配置される。
【００４０】
シールドケース６０は、リブ部６２の底面が基準電位パターン層７５に当接されることで、基準電位パターン層７５と電気的に接続される。シールドケース６０は、基準電位パターン層７５と電気的に導通して基準電位パターン層７５と同じ大きさの電位を有するようになる。
【００４１】
シールドケース６０は、外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。
なお、シールドケース６０は、その全体を金属から構成することができる他、その骨格を樹脂から形成し、この骨格の表面に導体膜を形成して構成することもできる。
【００４２】
フレキシブル配線基板９２は、シート状に形成される。フレキシブル配線基板９２は、シールドケース６０における平板部６１の内面６１ｂに沿うように配置される。フレキシブル配線基板９２は、シールドケース６０における平板部６１の内面６１ｂにおける操作部側筐体２の連結部４とは反対の端部側に配置される。フレキシブル配線基板９２には、ユーザの音声を入力する音声入力部としての円柱形状のマイク９１が配置される。
【００４３】
回路基板７０には、アンテナ８０が送受信する信号を処理する信号処理部、不図示のメモリやＣＰＵ４５を含む不図示の各種電子部品や回路が配置（実装）される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４４】
回路基板７０におけるシールドケース６０側の一方の面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の一方の面７０ａの表面に導電性の部材を所定パターンで印刷することで形成される。
【００４５】
アンテナ８０は、基台上に所定形状のアンテナエレメントが配置されることにより構成される。アンテナ８０は、携帯電話機１における連結部４側と反対の端部側に配置される。このアンテナ８０のアンテナエレメントは、帯状の板金により形成される。また、アンテナ８０は、不図示の給電端子を介して回路基板７０から給電される。これにより、アンテナエレメントは、給電端子を介して回路基板７０から給電されると共に、回路基板７０のＲＦモジュール等と接続される。
【００４６】
リアケース２２の一端側には、取り外し可能なバッテリリッド２３が設けられている。バッテリリッド２３は、バッテリ９０をリアケース２２の外側から収納した後、リアケース２２に装着される。
【００４７】
次に、図３から図８を参照しながら、操作部側筐体２の内部構造のうちキーシート４０Ｃに関する構成を中心に詳述する。図４は、第１実施形態における延設部４１ｂを折り曲げた状態を示す斜視図である。図５は、第１実施形態における延設部４１ｂを折り曲げた状態を示す断面図である。図６は、第１実施形態における延設部４１ｂにマイク９１を収納した状態を示す部分斜視図である。図７は、第１実施形態におけるキーシート４０Ｃを示す図であって、（Ａ）は、操作部材４０Ａ側から視た平面図であり、（Ｂ）は、キー基板５０から視た平面図であり、（Ｃ）は、（Ａ）におけるＡ−Ａ線断面図である。図８は、第１実施形態における延設部４１ｂを折り曲げる前の状態を示す部分斜視図である。
図３及び図４に示すように、キーシート４０Ｃは、キー基板５０をシールドケース６０の平板部６１との間に挟むように配置される。キーシート４０Ｃは、本体部４１ａと、延設部４１ｂとを有する。本体部４１ａと、延設部４１ｂとは、操作部側筐体２の長手方向に並んで配置される。
【００４８】
本体部４１ａは、操作部材４０Ａに対応する部分を含んで平面視で略長方形の形状に形成される。言い換えると、本体部４１ａは、操作部側筐体２の厚さ方向において操作部材４０Ａが配置される位置を含む領域に重なるように操作部側筐体２における長手方向に長く形成される。
【００４９】
延設部４１ｂは、本体部４１ａの操作部側筐体２の長手方向における連結部４とは反対側の外縁から延びるように形成される。延設部４１ｂは、平面視で略長方形の形状を有する。延設部４１ｂの長手方向は、操作部側筐体２の幅方向に一致する。延設部４１ｂの幅方向は、操作部側筐体２の長手方向に一致する。本体部４１ａ及び延設部４１ｂの操作部側筐体２における幅方向の長さは同等である。
【００５０】
延設部４１ｂは、折り曲げ線４１１と、本体部４１ａにおける操作部材４０Ａ側の面に連続して形成される外側面４１２と、本体部４１ａにおけるキー基板５０側の面に連続して形成される内側面４１３とを有する。折り曲げ線４１１は、延設部４１ｂにおける操作部側筐体２の幅方向に沿って形成される。折り曲げ線４１１は、延設部４１ｂにおける本体部４１ａ側の端部側に形成される。延設部４１ｂは、延設部４１ｂの一部が折り曲げ線４１１により折り曲がるように変形される。
【００５１】
外側面４１２は、折り曲げ線４１１を介して折り曲げられた場合に、延設部４１ｂにおける外方側に位置して露出する面である。内側面４１３は、折り曲げ線４１１を介して折り曲げられた場合に、延設部４１ｂにおける内方側に位置して隠れる面である。
本実施形態においては、延設部４１ｂは、折り曲げ線４１１を介して内側面４１３がシールドケース６０の内面６１ｂに対向するように折り返されている。延設部４１ｂは、折り曲げ線４１１における延設部４１ｂの外側面４１２が露出するように折り返されている。
詳細には、図５に示すように、延設部４１ｂの内側面４１３と本体部４１ａのキー基板５０側の面とは、シールドケース６０における平板部６１の端部及びキー基板５０の端部を操作部側筐体２の厚さ方向において挟み込むように対向して配置される。
【００５２】
延設部４１ｂは、折り曲げ線４１１を介して折り曲げられた場合に、キー基板５０における第１面５０ａとは異なる面に対向する部分を有する。具体的には、キー基板５０における第１面５０ａとは異なる面とは、キー基板５０における第２面５０ｂ又は第３面５０ｃである。ここで、延設部４１ｂがキー基板５０の第２面５０ｂに対向する場合には、延設部４１ｂは折り返されてキー基板５０における第３面５０ｃを被覆している。つまり、この場合には、延設部４１ｂは、キー基板５０の第２面５０ｂ及びキー基板５０の第３面５０ｃに対向している。
【００５３】
また、延設部４１ｂは、折り曲げ線４１１を介して折り曲げられた場合に、シールドケース６０におけるキー基板５０側の面（載置面６１ａ）とは異なる面に対向する部分を有する。具体的には、シールドケース６０におけるキー基板５０側の面（載置面６１ａ）とは異なる面とは、シールドケース６０の平板部６１における平板側面６０ｃ及び内面６０ｂである。
【００５４】
また、延設部４１ｂがシールドケース６０の平板部６１における内面６０ｂに対向する場合には、延設部４１ｂは折り返されてシールドケース６０における平板側面６１ｃを被覆している。この場合には、延設部４１ｂは、シールドケース６０の平板側面６１ｃ及びシールドケース６０の内面６０ｂに対向している。
【００５５】
図７に示すように、延設部４１ｂは、収納部としてのマイク収納部４１５と、延設部４１ｂを折り返した場合にマイク収納部４１５を係合可能な係合孔部４１８と、マイク９１を備えるフレキシブル配線基板９２を挿通可能な挿通孔部４１６とを有する。
マイク収納部４１５は、延設部４１ｂの内側面４１３において内側面４１３から突出するように形成される筒状の筒状部４１７と、延設部４１ｂの外側面４１２において外側面４１２から窪むように形成される収納凹部４１９と、を有する。
【００５６】
筒状部４１７と収納凹部４１９とは、延設部４１ｂにおける厚さ方向に連通する連通部４２０を介して接続される。連通部４２０は、マイク収納部４１５に装着されたマイク９１へ音声を通過させる通過孔となる。
筒状部４１７は、延設部４１ｂの内側面４１３が本体部４１ａのキー基板５０側の面に対向するように折り曲げ線４１１を介して折り曲げられた場合に、係合孔部４１８に係合する。
収納凹部４１９は、円柱形状に窪んで形成される。収納凹部４１９には、マイク９１が収納される。
係合孔部４１８は、前述の通り、筒状部４１７と係合すると共に、携帯電話機１の音声入力孔部１２から入力された音声をマイク９１へ通過させる。
挿通孔部４１６は、マイク９１を備えるフレキシブル配線基板９２を延設部４１ｂにおける内側面４１３側から外側面４１２側へ挿通させる。
【００５７】
ここで、キーシート４０Ｃをシールドケース６０に取り付ける方法について説明する。
まず、図３に示すように、シールドケース６０の載置面６１ａ上にキー基板５０を載置する。そして、キー基板５０にキーシート４０Ｃにおける本体部４１ａが配置されるようにキーシート４０Ｃを載置する。
【００５８】
次に、図８に示すように、折り曲げ線４１１を介して、延設部４１ｂの内側面４１３が本体部４１ａのキー基板５０側の面に対向するように折り曲げ線４１１を介して折り曲げ、挿通孔部４１６にマイク９１側からフレキシブル配線基板９２を挿通させる。
そして、筒状部４１７を係合孔部４１８に挿入することにより、筒状部４１７と係合孔部４１８とを係合させる。
次に、収納凹部４１９にマイク９１を収納することにより、図６に示すように、延設部４１ｂにマイク９１を装着すると共に、延設部４１ｂを折り曲げてシールドケース６０に取り付けることができる。
【００５９】
これにより、図５に示すように、延設部４１ｂは、キー基板５０の第１面５０ａ及び第３面５０ｃを連続して被覆するように配置される。これにより、第３面５０ｃに対して外力がはたらいても、キー基板５０を保護することができる。
更に、延設部４１ｂは、マイク９１を収納するマイク収納部４１５としても活用することができる。
【００６０】
第１実施形態の携帯電話機１によれば、以下の効果が奏される。
本実施形態によれば、弾性部材としてのキーシート４０Ｃは、複数のキートップ１３ｂ、１４ｂ、１５ｂに対応する部分を含む本体部４１ａと、本体部４１ａの外縁から延設すると共に、一部が折り曲がるように変形されキー基板５０における第１面５０ａとは異なる面に対向する部分を有する延設部４１ｂと、を備える。そのため、キーシート４０Ｃにおける延設部４１ｂは、キー基板５０における第１面５０ａと第２面５０ｂとをつなぐように形成される側面としての第３面５０ｃに対向するので、キー基板５０の第１面５０ａ及び第３面５０ｃを連続して被覆するように配置される。これにより、第３面５０ｃに対して外力がはたらいても、キー基板５０を保護することができる。
【００６１】
また、本実施形態によれば、延設部４１ｂには、マイク９１を収納するマイク収納部４１５が形成されている。そのため、マイク９１を収納するマイク収納部４１５として延設部４１ｂを活用することができる。
【００６２】
また、本実施形態によれば、キー基板５０における第１面５０ａと反対側の第２面５０ｂ側に配置されキー基板５０を支持する平板部６１を有し、平板形状である支持部材６０と、を備え、延設部４１ｂは、一部が折り曲がるように変形され平板部６１におけるキー基板５０側の面とは異なる面に対向する部分を有する。そのため、キーシート４０Ｃにおける延設部４１ｂは、平板部６１における平板側面６１ｃに対向するので、平板部６１の載置面６１ａから平板側面６１ｃまでを被覆するように配置される。これにより、シールドケース６０の平板側面６１ｃに外力がはたらいても、シールドケース６０を保護することができる。
【００６３】
次に、図９及び図１０により、第２実施形態の携帯電話機１について説明する。図９は、第２実施形態における操作部側筐体２に内蔵される部品を示す分解斜視図である。図１０は、第２実施形態における延設部４１ｂを折り曲げた状態を示す断面図である。
第２実施形態における携帯電話機１は、シールドケース６００及びキーシート４００Ｃにおける延設部４１０ｂに関連する構成を除いて第１実施形態における携帯電話機１と同様の構成を有する。従って、第２実施形態については、シールドケース６００及びキーシート４００Ｃにおける延設部４１０ｂに関連する構成を中心に説明し、他の構成の説明は省略する。
【００６４】
まず、図９及び図１０により、シールドケース６００について説明する。
第２実施形態におけるシールドケース６００は、直方体における一の狭い面が開口した形状でない点及び平板部６１に切り欠き部６１ｄを有さない点において、第１実施形態におけるシールドケース６００とは異なる。つまり。シールドケース６００は、導電性の部材により薄型の略直方体形状に形成される。シールドケース６００は、直方体における一の広い面が開口した形状を有する。具体的には、シールドケース６００は、回路基板７０側が広い面で開口している。シールドケース６００は、キー基板５０の載置面となると共にキー基板５０を支持する平板状の平板部６１と、平板部６１における開口側の面の外縁に略垂直に形成されるリブ部６２と、を備える。
【００６５】
平板部６１は、略均等の厚さで平面視略長方形状に形成される。平板部６１は、キー基板５０側の載置面６１ａと、載置面６１ａとは反対側の内面６１ｂと、載置面６１ａと内面６１ｂとを平板部６１における外縁においてつなぐ平板側面６１ｃとを有する。載置面６１ａには、キー基板５０が載置される。内面６１ｂは、回路基板７０の一方の面７０ａと対向する面である。平板側面６１ｃは、操作部側筐体２の長手方向及び幅方向において平板部６１から外側方向に向けて露出している。
【００６６】
リブ部６２は、平板部６１におけるキー基板５０側の面と反対側の面における外縁に形成される。リブ部６２は、シールドケース６００の外側方向に向けて露出するリブ側面６２ａを有する。
【００６７】
シールドケース６０の近傍には、アンテナ８０が配置される。アンテナ８０は、操作部側筐体２の長手方向における連結部４とは反対側の端部側に配置される。
【００６８】
次に、キーシート４００Ｃにおける延設部４１０ｂについて説明する。
第２実施形態におけるキーシート４００Ｃにおける延設部４１０ｂは、マイク収納部４１５と、係合孔部４１８と、挿通孔部４１６とを有さない点において、第１実施形態におけるシールドケース６０とは異なる。
【００６９】
延設部４１０ｂは、本体部４１ａの操作部側筐体２の長手方向における連結部４とは反対側の外縁から延設して延びるように形成される。延設部４１０ｂは、少なくとも一部がシールドケース６００とアンテナ８０との間に配置される。
延設部４１０ｂは、非導電性の部材により略均一の厚さからなるシート状に形成される。前述の第１実施形態とは異なり、孔等は設けられていない。延設部４１ｂは、平面視で略長方形の形状を有する。延設部４１ｂの長手方向は、操作部側筐体２の長手方向に一致する。延設部４１ｂの幅方向は、操作部側筐体２の幅方向に一致する。本体部４１ａ及び延設部４１ｂの操作部側筐体２における幅方向の長さは同一である。
【００７０】
延設部４１ｂは、前述の第１実施形態と同様に、折り曲げ線４１１と、本体部４１ａにおける操作部材４０Ａ側の面に連続して形成される外側面４１２と、本体部４１ａにおけるキー基板５０側の面に連続して形成される内側面４１３とを有する。
【００７１】
延設部４１ｂは、折り曲げ線４１１から本体部４１ａに接続されている側とは反対側の端部までの長さがリブ部６２の高さと略同等かそれより長く形成される。延設部４１ｂは、折り曲げ線４１１で延設部４１ｂの内側面４１３がリブ部６２のリブ側面６２ａに対向するように折り曲げ線４１１により略直角方向に折り曲げられる。延設部４１ｂは、平板側面６１ｃ及びリブ側面６２ａに沿って配置される。延設部４１ｂは、平板側面６１ｃ及びリブ側面６２ａを被覆する。
これにより、非導電性を有する延設部４１ｂは、シールドケース６００とアンテナ８０との間に配置され、シールドケース６００とアンテナ８０を隔てている。そのため、シールドケース６００から放射されるノイズがアンテナ８０のアンテナ特性に及ぼす影響を低減できる。
【００７２】
延設部４１ｂは、折り曲げ線４１１を介して折り曲げられた場合に、キー基板５０における第１面５０ａとは異なる面に対向する部分を有する。具体的には、キー基板５０における第１面５０ａとは異なる面とは、キー基板５０における第３面５０ｃである。
【００７３】
また、延設部４１ｂは、折り曲げ線４１１を介して折り曲げられた場合に、シールドケース６００におけるキー基板５０側の面（載置面６１ａ）とは異なる面に対向する部分を有する。具体的には、シールドケース６００におけるキー基板５０側の面（載置面６１ａ）とは異なる面とは、シールドケース６００の平板部６１における平板側面６１ｃ及びリブ部６２におけるリブ側面６２ａである。
【００７４】
延設部４１ｂがシールドケース６００のリブ部６２におけるリブ側面６２ａに対向する場合には、延設部４１ｂは折り曲げられてシールドケース６０の平板部６１における平板側面６１ｃを被覆している。この場合には、延設部４１ｂは、シールドケース６００の平板部６１における平板側面６１ｃ及びリブ部６２におけるリブ側面６２ａに対向している。
【００７５】
第２実施形態の携帯電話機１によれば、以下の効果が奏される。
本実施形態によれば、キー基板５０における第１面５０ａと反対側の第２面５０ｂ側に配置されキー基板５０を支持する平板部６１を有し、略直方体形状である支持部材６０と、を備え、延設部４１ｂは、一部が折り曲がるように変形され平板部６１におけるキー基板５０側の面とは異なる面に対向する部分を有する。そのため、キーシート４０Ｃにおける延設部４１ｂは、平板部６１における平板側面６１ｃに対向するので、平板部６１の載置面６１ａから平板側面６１ｃまでを被覆するように配置される。これにより、第１実施形態と同様に、キー基板５０の第３面５０ｃおよびシールドケース６００の平板側面６１ｃに外力がはたらいても、キー基板５０およびシールドケース６００を保護することができる。
【００７６】
また、本実施形態によれば、操作部側筐体２の内部において導電性を有するシールドケース６００の近傍に配設されるアンテナ８０を備え、延設部４１ｂは、非導電性を有すると共に、少なくとも一部がシールドケース６００とアンテナ８０との間に配置される。そのため、シールドケース６００から放射されるノイズがアンテナ８０のアンテナ特性に及ぼす影響を低減できる。
【００７７】
以上、本発明の一実施形態について説明したが、本発明は前述した実施形態に限定されることなく種々の形態で実施することができる。
例えば、前述の実施形態においては、操作部側筐体２における構成としているが、これに限定されず、表示部側筐体３における構成であってもよい。
【００７８】
また、前述の実施形態においては、支持部材をシールドケース６０またはシールドケース６００としているが、本発明はこれに限定されず、例えば、回路基板等であってもよい。
【００７９】
また、前述の実施形態においては、マイク収納部４１５に収納する電子部品をマイク９１としているが、これに限定されない。電子部品は、例えば、スピーカであってもよい。
【００８０】
また、前述の実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。
【００８１】
また、前述の実施形態は、本発明を携帯電話機に適用したものであるが、本発明は、これに限定されない。本発明は、携帯電話機以外の携帯電子機器、例えば、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等に適用することができる。
【符号の説明】
【００８２】
１  携帯電話機（携帯電子機器）
２  操作部側筐体（筐体）
１３ａ  開口部
１３ｂ  操作キー部材（キートップ）
１４ａ  開口部
１４ｂ  操作キー部材（キートップ）
１５ａ  開口部
１５ｂ  操作キー部材（キートップ）
４０Ｃ  キーシート（弾性部材）
４１ａ  本体部
４１ｂ  延設部
５０  キー基板（キースイッチ部）
５０ａ  第１面
【図１】
2010258835.tif 000003
【図２】
2010258835.tif 000004
【図３】
2010258835.tif 000005
【図４】
2010258835.tif 000006
【図５】
2010258835.tif 000007
【図６】
2010258835.tif 000008
【図７】
2010258835.tif 000009
【図８】
2010258835.tif 000010
【図９】
2010258835.tif 000011
【図１０】
2010258835.tif 000012